(57)【要約】【課題】初期設定を行わずに画像読取装置を使用し続けるおそれがなく、原稿の画像データを不正確に読み取り続けるおそれがない画像読取装置、及び画像読取方法を提供する。【解決手段】装置制御部７により、撮像対象物を撮像して得られた画像データの補正のための所定のデータが入力されるまで、初期設定が成されていないことを明示する所定の画像データを出力データとして出力し、表示部５により、入力された前記出力データに基づく画像を表示する。【選択図】      図1
2015184709.tif 000002
【特許請求の範囲】
【請求項１】
撮像対象物を撮像して得られた画像データの補正のための所定のデータが入力されるまで、初期設定が成されていないことを明示する所定の画像データを出力データとして出力する装置制御部と、
入力された前記出力データに基づく画像を表示する表示部と、
を備えたことを特徴とする画像読取装置。
【請求項２】
前記装置制御部は、
撮像指示に基づき撮像対象物を撮像し画像データを出力する撮像部と、
前記画像データを補正するための補正パラメータを格納する格納部と、
前記撮像部が出力した前記画像データを格納部が格納した前記補正パラメータにより補正し補正画像データを出力する画像補正部と、
操作者の操作に基づき、撮像指示を前記撮像部に出力し、操作者の操作に基づき、初期値として、前記補正画像データに基づく画像が自身の装置の初期設定が成されていないことを明示する画像となるようにした前記補正パラメータを前記格納部に格納し、操作者の操作に基づき、前記初期設定が成された後に、初期設定により取得した前記補正パラメータを格納する制御部と、
を備えたことを特徴とする請求項１記載の画像読取装置。
【請求項３】
初期設定が成されていないことを明示する画像は、幾何学模様の画像、初期設定が成されていないことを示す語、句を示す画像を含む、ことを特徴とする請求項２記載の画像読取装置。
【請求項４】
前記補正パラメータは、シェーディング補正のパラメータを含み、
前記画像補正部は、前記画像データを前記補正パラメータによりシェーディング補正することを特徴とする請求項２又は３記載の画像読取装置。
【請求項５】
前記シェーディング補正の式を、ｖ＿ｆｉｘｅｄ＿ｉ＝ａ＿ｉ×ｖ＿ｉ＋ｂ＿ｉとし、ｖ＿ｆｉｘｅｄ＿ｉは補正後の画素値、ｖｉは補正前の画素値、ａ＿ｉ及びｂ＿ｉは補正パラメータであり、ｉは画素番号を示し、前記シェーディング補正後の画像が、初期設定が成されていないことを明示する画像となるようにａ＿ｉ及びｂ＿ｉの値を決める、ことを特徴とする請求項４記載の画像読取装置。
【請求項６】
前記シェーディング補正の式を、ｖ＿ｆｉｘｅｄ＿ｉ＝ａ＿ｉ×ｖ＿ｉ＋ｂ＿ｉとし、ｖ＿ｆｉｘｅｄ＿ｉは補正後の画素値、ｖｉは補正前の画素値、ａ＿ｉ及びｂ＿ｉは補正パラメータであり、ｉは画素番号を示し、
初期設定により取得した前記補正パラメータは、ｖ＿ｉを黒色の原稿を撮像したときの画素値とし、ｖ＿ｆｉｘｅｄ＿ｉを画素最小値としたときの前記シェーディング補正の式と、ｖ＿ｉを白色の原稿を撮像したときの画素値とし、ｖ＿ｆｉｘｅｄ＿ｉを画素最大値としたときの前記シェーディング補正の式とにより求めたａ＿ｉとｂ＿ｉとした、ことを特徴とする請求項４記載の画像読取装置。
【請求項７】
初期設定により取得する前記補正パラメータは、前記初期設定時に黒色の原稿を撮像したときの画素値と、白色の原稿を撮像したときの画素値とに対して所定の演算をして求める、ことを特徴とする請求項２記載の画像読取装置。
【請求項８】
撮像指示に基づき撮像対象物を撮像し画像データを出力する撮像部と、
前記画像データを補正するための補正パラメータを格納する格納部と、
前記撮像部が出力した前記画像データを格納部が格納した前記補正パラメータにより補正し、この補正した補正画像データを表示するための画像データとして出力する画像補正部と、
操作者の操作に基づき、撮像指示を前記撮像部に出力し、操作者の操作に基づき、初期値として、前記補正画像データに基づく画像が自身の装置の初期設定が成されていないことを明示する画像となるようにした前記補正パラメータを前記格納部に格納し、操作者の操作に基づき、前記初期設定が成された後に、初期設定により取得した前記補正パラメータを格納する制御部と、
を備えたことを特徴とする画像読取装置。
【請求項９】
撮像対象物を撮像して得られた画像データの補正のための所定のデータが入力されるまで、初期設定が成されていないことを明示する所定の画像データを出力データとして出力し、
入力された前記出力データに基づく画像を表示する、ことを特徴とする画像読取方法。
【請求項１０】
撮像対象物を撮像して画像データを生成し、
初期値として、補正パラメータによる前記画像データの補正後の画像が自身の装置の初期設定が成されていないことを明示する画像となるようにした前記補正パラメータを格納し、
前記初期設定が成された後には、前記初期設定により取得した前記補正パラメータを格納し、
前記画像データを前記格納した前記補正パラメータにより補正し、
この補正した画像データに基づく画像を表示する、ことを特徴とする請求項９記載の画像読取方法。
【発明の詳細な説明】
【技術分野】
【０００１】
本発明は、画像読取装置、及び画像読取方法に関し、原稿の画像データを不正確に読み取り続けるおそれがない画像読取装置、及び画像読取方法に関する。
【背景技術】
【０００２】
一般に、スキャナ等の画像読取装置では、原稿を読み取る際、原稿面の照度の均一性が問題となる。照度が均一でないと、原稿の画像データが正確に読み取れないおそれがある。このため、通常、不均一性の度合いを既知の原稿（例えば、一様な白原稿、以後、白原稿と記載する。）を用いて実測し、この実測したデータに基づき読み取った画像データの不均一性等を改善するように補正するシェーディング補正がなされる。
【０００３】
原稿を読み取り読み取った画像データをシェーディング補正する技術が特許文献１に開示されている。特許文献１に開示のカメラ型イメージスキャナは、図８に示すように、カメラ１０と、画像処理部１１と、記憶部１２と、表示部１３とにより構成する。
【０００４】
このイメージスキャナは、最初に、操作者の操作に従い、カメラ１０により読み取った白原稿のデータに基づきシェーディング補正データを作成して記憶部１２に格納する。すなわち、操作者の操作に基づき、原稿台にセットされた白原稿の全面を読み取る。そして、読み取った白原稿のデータに基づき、白原稿の全面に対応する照度のレベルデータを作成しこれをシェーディング補正データとして記憶部１２に格納する。次に、操作者の操作に基づき、カメラ１０により、原稿台にセットされた読み取り対象の原稿の画像データを読み取る。そして、画像処理部１１により、読み取った画像データを記憶部１２に格納したシェーディング補正データによりシェーディング補正し、補正後の画像データを表示部１３に表示する。
【先行技術文献】
【特許文献】
【０００５】
【特許文献１】特開平１−１３７３８６号公報
【発明の概要】
【発明が解決しようとする課題】
【０００６】
通常、イメージスキャナは、工場出荷時等には、シェーディング補正データには所定の値が設定されて記憶部に格納されている。所定の値とは、例えば、画像データを補正せずそのままとなるような値である。このため、操作者は、イメージスキャナの設置後、最初に初期設定を行い、記憶部に格納されている所定の値のシェーディング補正データを使用環境に合ったシェーディング補正データに変える必要がある。初期設定とは、例えば、白原稿を読み取らせ、この読み取った白原稿のデータに基づき使用環境に合ったシェーディング補正データを作成させて記憶部１２に格納することを示す。
【０００７】
そして、上述の特許文献１に開示のカメラ型イメージスキャナは、最初に、操作者の操作に従い、読み取った白原稿のデータに基づきシェーディング補正データを作成して記憶部に格納している。このことにより、記憶部に格納されている所定の値のシェーディング補正データを使用環境に合ったシェーディング補正データに変えている。
【０００８】
しかし、操作者が、すでに初期設定を済ませたと思い込んだり、初期設定の実行を忘れたりして、初期設定を行わずにイメージスキャナを使用し続けるおそれがある。この場合には、原稿の画像データを不正確に読み取り続けるおそれがあるといった問題がある。
【０００９】
本発明の目的は、上記課題を解決して、初期設定を行わずにイメージスキャナを使用し続けるおそれがなく、原稿の画像データを不正確に読み取り続けるおそれがない画像読取装置、及び画像読取方法を提供することである。
【課題を解決するための手段】
【００１０】
本発明の画像読取装置は、撮像対象物を撮像して得られた画像データの補正のための所定のデータが入力されるまで、初期設定が成されていないことを明示する所定の画像データを出力データとして出力する装置制御部と、入力された前記出力データに基づく画像を表示する表示部と、を備えている。
【００１１】
本発明の画像読取方法は、撮像対象物を撮像して得られた画像データの補正のための所定のデータが入力されるまで、初期設定が成されていないことを明示する所定の画像データを出力データとして出力し、入力された前記出力データに基づく画像を表示する、するようにしている。
【発明の効果】
【００１２】
本発明によれば、初期設定を行わずにイメージスキャナを使用し続けるおそれがなく、原稿の画像データを不正確に読み取り続けるおそれがない画像読取装置、及び画像読取方法を提供することができる。
【図面の簡単な説明】
【００１３】
【図１】本発明の第１の実施の形態に係る画像読取装置の一例を示す図である。
【図２】本発明の第２の実施の形態又は第３の実施の形態に係る画像読取装置の一例を示す図である。
【図３】本発明の第３の実施の形態に係る画像読取装置の動作の一例を示すフローチャートである。
【図４】初期設定が成されていないことを明示する画像の第一の例を示す図である。
【図５】初期設定が成されていないことを明示する画像の第二の例を示す図である。
【図６】初期設定が成されていないことを明示する画像の第三の例を示す図である。
【図７】初期設定が成されていないことを明示する画像の第四の例を示す図である。
【図８】関連技術における画像読取装置の一例を示す図である。
【発明を実施するための形態】
【００１４】
次に、本発明の実施の形態について図面を参照して説明する。
（第１の実施の形態）
図１は、本発明の第１の実施の形態に係る画像読取装置の一例を示す図である。
【００１５】
本実施の形態に係る画像読取装置１は、装置制御部７と、表示部５とにより構成される。
【００１６】
装置制御部７は、撮像対象物を撮像して得られた画像データの補正のための所定のデータが入力されるまで、初期設定が成されていないことを明示する所定の画像データを出力データとして出力する。表示部５は、装置制御部７が出力した出力データを入力し、この出力データに基づく画像を表示する。表示部５は、ディスプレイ装置、プリンタ等、出力データに基づく画像を表す装置であればどのような装置であってもよい。
【００１７】
本画像処理装置１は、この装置を使用するユーザ等の操作者（以降、使用者と記載する）の操作に基づき、初期設定が成されると、画像データの補正のための所定のデータが入力される。初期設定とは、通常、画像処理装置１を入手後、例えばこの装置の設置場所の照明環境に合わせた、良好な画像を得るための画像データ補正用のデータ（所定のデータ）を所定の操作に基づき取得することを含んでいる。
【００１８】
このように、本実施の形態によれば、画像データの補正のための所定のデータが入力されるまで、初期設定が成されていないことを明示する所定の画像データに基づく画像が表示される。このため、初期設定が済んでいないことが、直感的にわかり、初期設定の実施が促される。このため、初期設定を行わずに画像読取装置を使用し続けるおそれがなく、原稿の画像データを不正確に読み取り続けるおそれがない。
（第２の実施の形態）
図２は、本発明の第２の実施の形態又は第３の実施の形態に係る画像読取装置の一例を示す図である。
【００１９】
本第２の実施の形態は、第１の実施の形態の装置制御部７を、撮像部２と、格納部４と、画像補正部３と、制御部６とにより構成し、第１の実施の形態をより具体化したものである。したがって、主に第１の実施の形態と相違する部分について説明する。
【００２０】
本実施の形態に係る画像読取装置１は、撮像部２と、格納部４と、画像補正部３と、表示部５と、制御部６と、により構成される。
【００２１】
撮像部２は、指示に基づき、撮像対象物を撮像し画像データを出力する。撮像部２は、カメラ、イメージスキャナ、ラインスキャナ装置等、撮像対象物を撮像し画像データを出力する装置であればどのような装置であってもよい。格納部４は、画像データを補正するための補正パラメータを格納する。画像補正部３は、撮像部２が出力した画像データを格納部４が格納した補正パラメータにより補正し補正画像データを出力する。表示部５は、画像補正部３が出力した補正画像データを受けこのデータに基づく画像を表示する。制御部６は、操作者の操作に基づき、撮像指示を撮像部２に出力する。また、制御部６は、操作者の操作に基づき、初期値として、補正画像データに基づく画像が自身の装置の初期設定が成されていないことを明示する画像となるようにした補正パラメータを格納部４に格納する。更に、制御部６は、操作者の操作に基づき、初期設定が成された後には、初期設定により取得した補正パラメータを格納する。
【００２２】
最初に、イメージスキャナ等の画像読取装置１の工場出荷時等に操作者（作業者）の操作に基づき、制御部６により、初期値の補正パラメータを格納部４に格納する。初期値の補正パラメータとは、この補正パラメータによる画像データの補正後の画像が自身の装置の初期設定が成されていないことを明示する画像となるようにした補正パラメータである。
【００２３】
そして、画像処理装置を使用するユーザ等の操作者（以降、使用者と記載する）が、工場等から送られてきた画像処理装置を使用する所定の場所へ設置する。そして、使用者が、例えば、本装置に対する初期設定を行わずに、すなわち、初期設定を済ませたと思い込んだり初期設定の実行を忘れたりして、この画像読取装置１を使用したとする。初期設定とは、通常、画像処理装置を入手後、例えばこの装置の設置場所の照明環境に合わせた、良好な画像を得るための補正パラメータを所定の操作に基づき取得することを含んでいる。
【００２４】
この場合、使用者は、原稿等の撮像対象物（以降、原稿と記載する）を撮像するために、画像読取装置１の原稿設定部（不図示）に原稿を設定し、読取スイッチを押す等の所定の操作を行う。制御部６は、使用者の操作に基づき、撮像部２に原稿を撮像させる。撮像部２は原稿の画像データを出力する。そして、画像補正部３は、撮像部２が出力した画像データを格納部４が格納した補正パラメータにより補正し補正画像データを出力する。表示部５は、画像補正部３が出力した補正画像データを受けこのデータに基づく画像を表示する。
【００２５】
この場合、使用者は、本装置に対して初期設定を行っていないので、格納部４には、初期値の補正パラメータ、すなわち、補正画像データに基づく画像が自身の装置の初期設定が成されていないことを明示する画像となるようにした補正パラメータが格納されている。このため、画像補正部３は、この初期値の補正パラメータにより補正し補正画像データを出力し、表示部５には、この補正画像データに基づく画像が表示される。したがって、表示部５には、自身の装置の初期設定が成されていないことを明示する画像が表示される。
【００２６】
このとき、使用者は表示部５の表示を見ることにより、初期設定が成されていないことが直感的にわかり、画像読取装置１に対し初期設定を実施する。
【００２７】
制御部６は、使用者の操作に基づいて実施された初期設定により取得した、この画像読取装置１の設置場所の照明環境に合わせた、良好な画像を得るための補正パラメータ（初期設定後の補正パラメータ）を格納する。
【００２８】
そして、使用者は、原稿設定部（不図示）に設定された原稿を読み取るために、読取スイッチを押す等の所定の操作を行う。制御部６は、使用者の操作に基づき、撮像部２に原稿を撮像させ、撮像部２が原稿の画像データを出力する。そして、画像補正部３は、撮像部２が出力した画像データを格納部４が格納した補正パラメータ（初期設定後の補正パラメータ）により補正し補正画像データを出力する。表示部５は、画像補正部３が出力した補正画像データを受けこのデータに基づく画像を表示する。
【００２９】
この場合、使用者は、本装置に対して初期設定を行っているので、格納部４には、この画像読取装置１の設置場所の照明条件に合わせた、良好な画像を得るための補正パラメータが格納されている。このため、表示部５には、良好な画像が表示される。
【００３０】
このように、本実施の形態によれば、初期値として、補正画像データに基づく画像が自身の装置の初期設定が成されていないことを明示する画像となるようにした補正パラメータを格納部４に格納する。そして、初期設定が成された後には、初期設定により取得した補正パラメータを格納部４に格納する。そして、画像補正部３は、撮像部２が出力した画像データを格納部４が格納した補正パラメータにより補正し補正画像データを出力し、表示部５は、画像補正部３が出力した補正画像データを受けこのデータに基づく画像を表示する。
【００３１】
このため、本実施の形態によれば、初期設定が成されていないときに本装置を使用すると、初期設定が成されていないことを明示する画像を表示する。このため、初期設定が済んでいないことが、直感的にわかり、初期設定の実施が促される。このため、初期設定を行わずに画像読取装置を使用し続けるおそれがなく、原稿の画像データを不正確に読み取り続けるおそれがない。
（第３の実施の形態）
図２は、本発明の第２の実施の形態又は第３の実施の形態に係る画像読取装置の一例を示す図である。
【００３２】
本第３の実施の形態は、第２の実施の形態をより具体化したものである。したがって、主に第２の実施の形態と相違する部分について説明する。
【００３３】
本実施の形態に係る画像読取装置１は、撮像部２と、格納部４と、画像補正部３と、表示部５と、制御部６と、により構成される。
【００３４】
初期設定が成されていないことを明示する画像は、幾何学模様の画像、初期設定が成されていないことを示す語、句を示す画像を含む。
【００３５】
補正パラメータは、シェーディング補正のパラメータを含み、画像補正部３は、画像データを補正パラメータによりシェーディング補正する。
【００３６】
シェーディング補正の式は、例えば、ｖ＿ｆｉｘｅｄ＿ｉ＝ａ＿ｉ×ｖ＿ｉ＋ｂ＿ｉであり、ｖ＿ｆｉｘｅｄ＿ｉは補正後の画素値、ｖ＿ｉは補正前の画素値、ａ＿ｉ及びｂ＿ｉは補正パラメータ、ｉは画素番号をそれぞれ示す。
【００３７】
次に、本実施の形態に係る画像読取装置の動作を図３、図４、図５、図６及び図７を参照して説明する。
【００３８】
図３は、本発明の第２の実施の形態に係る画像読取装置の動作の一例を示すフローチャートである。
【００３９】
図４は、初期設定が成されていないことを明示する画像の第一の例を示す図である。この画像は、幾何学模様の画像を示している。各画素の値は、例えば、黒基準値（画素最小値：０）から白基準値（画素最大値：２５５）の間の数値である。この図４では、例えば、×印部分を白基準値（画素最大値：２５５）、他の部分を黒基準値（画素最小値：０）としている。
【００４０】
図５は、初期設定が成されていないことを明示する画像の第二の例を示す図である。この画像は、撮像部により撮像した原稿の画像データを例えば３０％のレベルにした画像に、図４で示す幾何学模様（Ｘ）の画像を重ねた画像を示している。原稿には、文字（ＰＡＴ  ＮＥＣ）が記載されている。この図５では、例えば、×印部分を白基準値（画素最大値：２５５）、他の部分を撮像部により撮像した原稿の画像データの３０％のレベルの値の数値である。
【００４１】
図６は、初期設定が成されていないことを明示する画像の第二の例を示す図である。この画像は、撮像部により撮像した原稿の画像データを例えば３０％のレベルにした画像に、縦縞模様の画像を重ねた画像を示している。原稿には、文字（ＰＡＴ  ＮＥＣ）が記載されている。この図６では、例えば、縦縞模様の部分を白基準値（画素最大値：２５５）、他の部分を撮像部により撮像した原稿の画像データの３０％のレベルの値の数値である。
【００４２】
図７は、初期設定が成されていないことを明示する画像の第四の例を示す図である。この画像は、初期設定が成されていないことを示す語、句を示す画像を示している。この図７では、例えば、文字“初期設定未実施”の部分を黒基準値（画素最小値：０）、他の部分を白基準値（画素最大値：２５５）としている。
【００４３】
図３のステップＳ１では、最初に、画像読取装置１の工場出荷時等に作業者の操作に基づき、制御部６により、初期値の補正パラメータを格納部４に格納する。
【００４４】
初期値の補正パラメータ（ａ＿ｉ及びｂ＿ｉ）は、予め作業者等により、次のように決められ、例えば手元に準備される。すなわち、初期値の補正パラメータは、シェーディング補正の式（ｖ＿ｆｉｘｅｄ＿ｉ＝ａ＿ｉ×ｖ＿ｉ＋ｂ＿ｉ）を使用し、シェーディング補正後の画像が、初期設定が成されていないことを明示する画像となるようにａ＿ｉ及びｂ＿ｉの値を決める。例えば、図４で示すように、×印部分にあたる画素番号（ｉ）の画素の値（ｖ＿ｆｉｘｅｄ＿ｉ）が、白基準値（画素最大値：２５５）となるように、補正パラメータを決める。すなわち、ａ＿ｉを０、ｂ＿ｉを２５５とする。また、×印部分以外の部分にあたる画素番号（ｉ）の画素の値（ｖ＿ｆｉｘｅｄ＿ｉ）が、黒基準値（画素最小値：０）となるように、補正パラメータを決める。すなわち、ａ＿ｉを０、ｂ＿ｉを０とする。図７の例の場合も、図４の例の場合と同様に、文字“初期設定未実施”の部分の画素（ｉ）に対応する、ａ＿ｉを０、ｂ＿ｉを０とする。また、文字“初期設定未実施”以外の部分の画素（ｉ）に対応する、ａ＿ｉを０、ｂ＿ｉを２５５とする。
【００４５】
図５の例の場合は、×印部分にあたる画素番号（ｉ）の補正パラメータを、ａ＿ｉ＝０、ｂ＿ｉ＝２５５とする。また、×印部分以外の部分にあたる画素番号（ｉ）の補正パラメータを、ａ＿ｉ＝０．３、ｂ＿ｉ＝０とする。このようにすることにより、初期設定が成されていないことを明示する画像（Ｘ）に重ねて、補正前の７割減の値で原稿の画像が表示されるため、撮像部から表示部までの経路の機能が動作していることも同時にわかる。図６の例の場合は、縦縞模様の白の部分にあたる画素番号（ｉ）の補正パラメータを、ａ＿ｉ＝０、ｂ＿ｉ＝２５５とする。また、縦縞模様の白の部分以外の部分にあたる画素番号（ｉ）の補正パラメータを、ａ＿ｉ＝０．３、ｂ＿ｉ＝０とする。このようにすることにより、初期設定が成されていないことを明示する画像（縦縞模様）に重ねて、補正前の７割減の値で原稿の画像が表示されるため、撮像部から表示部までの経路の機能が動作していることも同時にわかる。
【００４６】
本実施形態では、図４で示す×印部分に対応する部分を、ａ＿ｉ＝０、ｂ＿ｉ＝２５５とし、×印部分以外の部分に対応する部分を、ａ＿ｉ＝０、ｂ＿ｉ＝０とする、初期値の補正パラメータを、格納部４に格納する。
【００４７】
図３のステップＳ２では、画像処理装置の使用者が、例えば工場等から送られてきた画像処理装置を使用する所定の場所へ設置後、本装置に対する初期設定を行わずに、この画像読取装置１を使用したとする。この場合、使用者は、原稿を撮像するために、画像読取装置１の原稿設定部（不図示）に原稿を設定し、読取スイッチを押す等の所定の操作を行う。この使用者の操作に基づき、制御部６が撮像指示を撮像部２に出力する。
【００４８】
図３のステップＳ３では、撮像部２は、撮像指示を受け原稿を撮像し、原稿の画像データを出力する。
【００４９】
図３のステップＳ４では、画像補正部３は、撮像部２が出力した画像データを格納部４に格納されている補正パラメータにより補正し補正画像データを出力する。
【００５０】
ステップＳ１で格納部４に格納された補正パラメータ（ａ＿ｉ及びｂ＿ｉ）は、図４で示す×印部分に対応する部分がａ＿ｉ＝０、ｂ＿ｉ＝２５５、×印部分以外の部分に対応する部分がａ＿ｉ＝０、ｂ＿ｉ＝０である。
【００５１】
したがって、この補正パラメータにより補正された補正画像データは、図４で示す×印部分にあたる画素（ｉ）の値がシェーディング補正の式により、２５５になり、×印部分以外の部分にあたる画素（ｉ）の値が０となる。シェーディング補正の式は、ｖ＿ｆｉｘｅｄ＿ｉ＝ａ＿ｉ×ｖ＿ｉ＋ｂ＿ｉである。
【００５２】
図３のステップＳ５では、表示部５が、この補正画像データに基づく画像を表示する。したがって、表示部５には、図４で示す、幾何学模様の画像が表示される。
【００５３】
図３のステップＳ６では、使用者は、表示部５の表示を見ることにより初期設定が成されていないことが直感的にわかり、画像読取装置１に対し初期設定を実施する。これにより、この画像読取装置１の設置場所の照明環境に合わせた、良好な画像を得るための補正パラメータ（ａ＿ｉとｂ＿ｉ）を取得する。
【００５４】
初期設定は、使用者により、一般的に、マニュアル等を参照することによる所定の操作に基づき、一様な黒色の原稿と一様な白色の原稿を撮像することにより、次のように実施される。
【００５５】
すなわち、使用者の操作に基づき、制御部６の制御により、画像読取装置１の原稿設定部（不図示）に設定された一様な黒色の原稿を撮像し、補正をしない状態でのこの撮像した各画素値を各ｖ＿ｉ（Ｂ）とする。Ｂは黒色を意味する。そして、ｖ＿ｆｉｘｅｄ＿ｉを画素最小値（０）としたときのシェーディング補正の式（すなわち、０＝ａ＿ｉ×ｖ＿ｉ（Ｂ）＋ｂ＿ｉ）を作成する。また、使用者の操作に基づき、制御部６の制御により、画像読取装置１の原稿設定部（不図示）に設定された一様な白色の原稿を撮像し、補正をしない状態でのこの撮像した各画素値を各ｖ＿ｉ（Ｗ）とする。Ｗは白色を意味する。そして、ｖ＿ｆｉｘｅｄ＿ｉを画素最大値（２５５）としたときのシェーディング補正の式（すなわち、２５５＝ａ＿ｉ×ｖ＿ｉ（Ｗ）＋ｂ＿ｉ）を作成する。そして、作成した式０＝ａ＿ｉ×ｖ＿ｉ（Ｂ）＋ｂ＿ｉと、式２５５＝ａ＿ｉ×ｖ＿ｉ（Ｗ）＋ｂ＿ｉとを連立して解くことにより補正パラメータ（ａ＿ｉとｂ＿ｉ）を求める。
【００５６】
図３のステップＳ７では、制御部６は、使用者の操作に基づいて実施された初期設定により取得した、この画像読取装置１の設置場所の照明環境に合わせた、良好な画像を得るための補正パラメータ（初期設定後の補正パラメータ）を格納部４に格納する。
【００５７】
図３のステップＳ８では、使用者は、原稿を撮像するために、画像読取装置１の原稿設定部（不図示）に原稿を設定し、読取スイッチを押す等の所定の操作を行う。この使用者の操作に基づき、制御部６が撮像指示を撮像部２に出力する。
【００５８】
図３のステップＳ９では、撮像部２は、撮像指示を受け原稿を撮像し、原稿の画像データを出力する。
【００５９】
図３のステップＳ１０では、画像補正部３は、撮像部２が出力した画像データを格納部４に格納されている補正パラメータ（初期設定後の補正パラメータ）により補正し補正画像データを出力する。
【００６０】
図３のステップＳ１１では、表示部５が、この補正画像データに基づく画像を表示する。
【００６１】
この場合、使用者は、本装置に対して初期設定を行っているので、格納部４には、この画像読取装置１の設置場所の照明条件に合わせた、良好な画像を得るための補正パラメータが格納されている。このため、表示部５には、良好な画像が表示される。
【００６２】
このように、本実施の形態によれば、初期値として、補正画像データに基づく画像が自身の装置の初期設定が成されていないことを明示する画像となるようにした補正パラメータを格納部４に格納する。そして、初期設定が成された後には、初期設定により取得した補正パラメータを格納部４に格納する。そして、画像補正部３は、撮像部２が出力した画像データを格納部４が格納した補正パラメータにより補正し補正画像データを出力し、表示部５は、画像補正部３が出力した補正画像データを受けこのデータに基づく画像を表示する。
【００６３】
このため、本実施の形態によれば、初期設定が成されていないときに本装置を使用すると、初期設定が成されていないことを明示する画像を表示する。このため、初期設定が済んでいないことが、直感的にわかり、初期設定の実施が促される。このため、初期設定を行わずに画像読取装置を使用し続けるおそれがなく、原稿の画像データを不正確に読み取り続けるおそれがない。
【００６４】
また、本実施の形態によれば、読み取った画像データをシェーディング補正しこの補正画像データを表示する。そして、画像データをシェーディング補正するための補正パラメータを使用して、初期設定が成されていないことを明示する画像を表示する。このため、通常行うシェーディング補正の処理を使用して初期設定の未実施を明示する画像を表示するので、確実に初期設定が成されていない場合にのみ、初期設定が成されていないことを明示する画像を表示することができる。
【００６５】
尚、上記した実施の形態では、画像読取装置の構成に、表示部を含めていたが、表示部を含めないようにしてもよい。この場合には、使用者により、画像読取装置に表示装置等の表示部を接続した場合に、上記した実施の形態の有する効果と同様の効果を得ることができる。
【００６６】
また、上記の説明では、スキャナ等の画像読取装置について説明したが、本発明は、スキャナ等の画像読取装置にこだわることなく、初期設定が必要な装置（道路監視カメラ装置、車載カメラ装置等）であっても適用可能である。
【００６７】
上記の実施形態の一部または全部は、以下の付記のように記載され得るが、以下には限られない。
（付記１）
撮像対象物を撮像して得られた画像データの補正のための所定のデータが入力されるまで、初期設定が成されていないことを明示する所定の画像データを出力データとして出力する装置制御部と、
入力された前記出力データに基づく画像を表示する表示部と、
を備えたことを特徴とする画像読取装置。
（付記２）
前記装置制御部は、
撮像指示に基づき撮像対象物を撮像し画像データを出力する撮像部と、
前記画像データを補正するための補正パラメータを格納する格納部と、
前記撮像部が出力した前記画像データを格納部が格納した前記補正パラメータにより補正し補正画像データを出力する画像補正部と、
操作者の操作に基づき、撮像指示を前記撮像部に出力し、操作者の操作に基づき、初期値として、前記補正画像データに基づく画像が自身の装置の初期設定が成されていないことを明示する画像となるようにした前記補正パラメータを前記格納部に格納し、操作者の操作に基づき、前記初期設定が成された後に、初期設定により取得した前記補正パラメータを格納する制御部と、
を備えたことを特徴とする付記１記載の画像読取装置。
（付記３）
初期設定が成されていないことを明示する画像は、幾何学模様の画像、初期設定が成されていないことを示す語、句を示す画像を含む、ことを特徴とする付記２記載の画像読取装置。
（付記４）
前記補正パラメータは、シェーディング補正のパラメータを含み、
前記画像補正部は、前記画像データを前記補正パラメータによりシェーディング補正することを特徴とする付記２又は３記載の画像読取装置。
（付記５）
前記シェーディング補正の式を、ｖ＿ｆｉｘｅｄ＿ｉ＝ａ＿ｉ×ｖ＿ｉ＋ｂ＿ｉとし、ｖ＿ｆｉｘｅｄ＿ｉは補正後の画素値、ｖｉは補正前の画素値、ａ＿ｉ及びｂ＿ｉは補正パラメータであり、ｉは画素番号を示し、前記シェーディング補正後の画像が、初期設定が成されていないことを明示する画像となるようにａ＿ｉ及びｂ＿ｉの値を決める、ことを特徴とする付記４記載の画像読取装置。
（付記６）
前記シェーディング補正の式を、ｖ＿ｆｉｘｅｄ＿ｉ＝ａ＿ｉ×ｖ＿ｉ＋ｂ＿ｉとし、ｖ＿ｆｉｘｅｄ＿ｉは補正後の画素値、ｖｉは補正前の画素値、ａ＿ｉ及びｂ＿ｉは補正パラメータであり、ｉは画素番号を示し、
初期設定により取得した前記補正パラメータは、ｖ＿ｉを黒色の原稿を撮像したときの画素値とし、ｖ＿ｆｉｘｅｄ＿ｉを画素最小値としたときの前記シェーディング補正の式と、ｖ＿ｉを白色の原稿を撮像したときの画素値とし、ｖ＿ｆｉｘｅｄ＿ｉを画素最大値としたときの前記シェーディング補正の式とにより求めたａ＿ｉとｂ＿ｉとした、ことを特徴とする付記４記載の画像読取装置。
（付記７）
初期設定により取得する前記補正パラメータは、前記初期設定時に黒色の原稿を撮像したときの画素値と、白色の原稿を撮像したときの画素値とに対して所定の演算をして求める、ことを特徴とする付記２記載の画像読取装置。
（付記８）
撮像指示に基づき撮像対象物を撮像し画像データを出力する撮像部と、
前記画像データを補正するための補正パラメータを格納する格納部と、
前記撮像部が出力した前記画像データを格納部が格納した前記補正パラメータにより補正し、この補正した補正画像データを表示するための画像データとして出力する画像補正部と、
操作者の操作に基づき、撮像指示を前記撮像部に出力し、操作者の操作に基づき、初期値として、前記補正画像データに基づく画像が自身の装置の初期設定が成されていないことを明示する画像となるようにした前記補正パラメータを前記格納部に格納し、操作者の操作に基づき、前記初期設定が成された後に、初期設定により取得した前記補正パラメータを格納する制御部と、
を備えたことを特徴とする画像読取装置。
（付記９）
撮像対象物を撮像して得られた画像データの補正のための所定のデータが入力されるまで、初期設定が成されていないことを明示する所定の画像データを出力データとして出力し、
入力された前記出力データに基づく画像を表示する、ことを特徴とする画像読取方法。
（付記１０）
撮像対象物を撮像して画像データを生成し、
初期値として、補正パラメータによる前記画像データの補正後の画像が自身の装置の初期設定が成されていないことを明示する画像となるようにした前記補正パラメータを格納し、
前記初期設定が成された後には、前記初期設定により取得した前記補正パラメータを格納し、
前記画像データを前記格納した前記補正パラメータにより補正し、
この補正した画像データに基づく画像を表示する、ことを特徴とする付記９記載の画像読取方法。
（付記１１）
初期設定が成されていないことを明示する画像は、幾何学模様の画像、初期設定が成されていないことを示す語、句を示す画像を含む、ことを特徴とする付記１０記載の画像読取方法。
（付記１２）
前記補正パラメータは、シェーディング補正のパラメータを含み、
前記画像補正部は、前記画像データを前記補正パラメータによりシェーディング補正することを特徴とする付記１０又は１１記載の画像読取方法。
（付記１３）
前記シェーディング補正の式を、ｖ＿ｆｉｘｅｄ＿ｉ＝ａ＿ｉ×ｖ＿ｉ＋ｂ＿ｉとし、ｖ＿ｆｉｘｅｄ＿ｉは補正後の画素値、ｖｉは補正前の画素値、ａ＿ｉ及びｂ＿ｉは補正パラメータであり、ｉは画素番号を示し、前記シェーディング補正後の画像が、初期設定が成されていないことを明示する画像となるようにａ＿ｉ及びｂ＿ｉの値を決める、ことを特徴とする付記１２記載の画像読取方法。
（付記１４）
前記シェーディング補正の式を、ｖ＿ｆｉｘｅｄ＿ｉ＝ａ＿ｉ×ｖ＿ｉ＋ｂ＿ｉとし、ｖ＿ｆｉｘｅｄ＿ｉは補正後の画素値、ｖｉは補正前の画素値、ａ＿ｉ及びｂ＿ｉは補正パラメータであり、ｉは画素番号を示し、
前記初期設定により取得した前記補正パラメータは、ｖ＿ｉを黒色の原稿を撮像したときの画素値とし、ｖ＿ｆｉｘｅｄ＿ｉを画素最小値としたときの前記シェーディング補正の式と、ｖ＿ｉを白色の原稿を撮像したときの画素値とし、ｖ＿ｆｉｘｅｄ＿ｉを画素最大値としたときの前記シェーディング補正の式とにより求めたａ＿ｉとｂ＿ｉとした、ことを特徴とする付記１２記載の画像読取方法。
（付記１５）
初期設定により取得する前記補正パラメータは、前記初期設定時に黒色の原稿を撮像したときの画素値と、白色の原稿を撮像したときの画素値とに対して所定の演算をして求める、ことを特徴とする付記１０記載の画像読取方法。
【符号の説明】
【００６８】
１  画像読取装置
２  撮像部
３  画像補正部
４  格納部
５  表示部
６  制御部
７  装置制御部
１０  カメラ
１１  画像処理部
１２  記憶部
１３  表示部
【図１】
2015184709.tif 000003
【図２】
2015184709.tif 000004
【図３】
2015184709.tif 000005
【図４】
2015184709.tif 000006
【図５】
2015184709.tif 000007
【図６】
2015184709.tif 000008
【図７】
2015184709.tif 000009
【図８】
2015184709.tif 000010